(57)【要約】【課題】改良された防水特性を有する筐体の提供。【解決手段】蓋プレート３が水密に取り付けられた開放部を有する中空の形状体２を有する筐体１。形状体２には、形状体２の端部に配設された水密封止部４１を備える少なくとも１つの端部閉鎖部４が設けられる。特に電気エンクロージャのための防水特性を、筐体に対する構造的改変をできるだけ少なくすることによって改良するために、押し込み部材４０が、封止部４１の内側に設けられ、押し込み部材４０は、封止部４１の少なくとも２つの対向する側部７１〜７６に、蓋プレート３に隣接して配設された封止部４１のプレート接触側部４８に対して横断方向９２、９３に作用する押し付け力を及ぼすように適合される。【選択図】図３
2012028781.tif 000002
【特許請求の範囲】
【請求項１】
蓋プレート（３）が水密に取り付けられた開放部を有する中空の形状体（２）を備える筐体（１）であって、前記形状体（２）には、前記形状体（２）の端部に配設された水密封止部（４１）を有する少なくとも１つの端部閉鎖部（４、５）が設けられた、前記筐体（１）において、
押し込み部材（４０）が、前記封止部（４１）の内側に設けられ、
前記押し込み部材（４０）は、前記蓋プレート（３）に隣接して配設された前記封止部（４１）のプレート接触側部（４８）に対して横断方向（９２、９３）に作用する押し付け力を、前記封止部（４１）の少なくとも２つの対向する側部（７１〜７６）に及ぼすように適合されていることを特徴とする筐体。
【請求項２】
前記押し込み部材（４０）には、前記封止部（４１）の前記対向する側部（７１〜７６）の各々のところに少なくとも１つの先細部分（６１〜６６）が設けられ、該先細部分（６１〜６６）は、前記押し付け力を前記横断方向（９２、９３）に方向付けるために、前記プレート接触側部（４８）に各々が面することを特徴とする、請求項１に記載された筐体。
【請求項３】
前記押し込み部材（４０）には、前記封止部（４１）の前記対向する側部（７１〜７６）の各々に少なくとも２つの前記先細部分（６１〜６６）が設けられることを特徴とする、請求項２に記載された筐体。
【請求項４】
前記押し込み部材（４０）が、前記封止部（４１）の前記プレート接触側部（４８）に向かって方向付けられた力（９１）を印加されるよう構成にされた印加表面（７０）を含み、前記印加表面（７０）が、前記プレート接触側部（４８）から外方に向いていることを特徴とする、請求項１から請求項３までのいずれか一項に記載された筐体。
【請求項５】
前記先細部分（６１、６２）が、前記封止部（４１）の前記プレート接触側部（４８）に前記力（９１）を及ぼすように適合された橋渡し部分（５５）を介して相互連結されることを特徴とする、請求項４に記載された筐体。
【請求項６】
前記橋渡し部分（５５）が、前記形状体（２）の前記空洞（２０）内に延びることを特徴とする、請求項５に記載された筐体。
【請求項７】
前記押し込み部材（４０）は、駆動力（９０）が前記印加表面（７０）に印加されたときに前記封止部（４１）の前記プレート接触側部（４８）に向かって変位するように前記形状体（２）の端部に配置されることを特徴とする、請求項４から請求項６までのいずれか一項に記載された筐体。
【請求項８】
前記端部閉鎖部（４）がさらに、前記押し込み部材（４０）上の前記印加表面（７０）に力を伝達するための駆動表面（８０）を有するキャッピング部材（４２）を備え、前記駆動表面（８０）が、前記封止部（４１）の前記プレート接触側部（４８）に面することを特徴とする、請求項４から請求項７までのいずれか一項に記載された筐体。
【請求項９】
前記形状体（２）の前記空洞（２０）に向かう勾配が、前記駆動表面（８０）と前記印加表面（７０）との間に設けられることを特徴とする、請求項８に記載された筐体。
【請求項１０】
キャッピング部材（４２）には、前記封止部（４１）上に及ぼされた前記押し付け力が、前記キャッピング部材（４２）によって打ち消されるように前記封止部（４１）を取り囲む外壁（８２〜８５）が設けられることを特徴とする、請求項１から請求項９までのいずれか一項に記載された筐体。
【請求項１１】
前記押し込み部材（４０）には、少なくとも１つの前記先細部分（６１〜６６）を有する上側突起部（６０）が設けられることを特徴とする、請求項２から請求項１０までのいずれか一項に記載された筐体。
【請求項１２】
前記押し込み部材（４０）には、少なくとも１つの前記先細部分（６１〜６６）を有する少なくとも１つの横方向突出部（６５、６６）が設けられることを特徴とする、請求項２から請求項１１までのいずれか一項に記載された筐体。
【請求項１３】
前記形状体（２）の前記空洞（２０）内に延びる少なくとも１つの差し込み突起部（６７、６８）が、前記押し込み部材（４０）に設けられることを特徴とする、請求項１から請求項１１までのいずれか一項に記載された筐体。
【請求項１４】
前記差し込み突起部（６７、６８）が、前記横方向突出部（６５、６６）に設けられることを特徴とする、請求項１２及び請求項１３に記載された筐体。
【請求項１５】
請求項１から請求項１４までのいずれか一項に記載された筐体（１）を備えることを特徴とする、特に光バリアのための、電子及び／又は光学構成要素を備えるデバイス。
【発明の詳細な説明】
【技術分野】
【０００１】
本発明は、蓋プレートが水密に取り付けられた開放部を備えた中空の形状体を有する筐体（エンクロージャ）に関するものである。この形状体には、請求項１の前文に記載された形状体の端部に配設された水密封止部を含む少なくとも１つの端部閉鎖部が設けられている。とりわけ（ただし限定されないが）本発明は、この筐体を、光バリアなどの電子及び／又は光学装置のためのハウジングとして含むデバイスにも関するものである。
【背景技術】
【０００２】
このタイプの一般的な形状体は、通常、押し出し加工によって、アルミニウム又は類似の材料から形成され、実質的にＵ字形状の断面を有していることが多い。電子構成要素又は他の材料を外形の空洞内に配置する前又はその後に、形状体の開放側部分は、プレキシガラス・プレート又は同様のものによって覆われる。蓋プレートは、当技術分野で一般的に知られて公知の接着手段によって高い防水性をもって形状体に取り付けられ得る。このようにして、国際標準ＩＥＣ  ６０５２９によって定義された電子筐体に対する防水保護等級（ＩＰ）が６５以上の値を有することが、蓋プレートの形状体への横方向の取り付けに関して達成できる。
【０００３】
より重要なことは、形状体の端面における筐体の水密性を所望の値に確実にすることである。この目的のため、生ゴム又は類似の未調整（ｕｎａｃｃｏｍｏｄａｔｉｎｇ）の水密材料からなる封止用ループ部材が、たいてい形状体の端面の周りに配設される。封止用ループ部材は、形状体の端部に堅固に取り付けられたキャッピング部材によって端面に対してしっかりと押し付けられる。このようにして、外形の水密の端部閉鎖部が、キャッピング部材及びその中に埋め込まれた封止用ループ部材によって提供される。しかし、この端部閉鎖部は、水浸入問題の潜在的な危険性が最も高いところであり、その結果、電気エンクロージャの場合、水密性の所望のレベルが著しく低下する。
【発明の概要】
【発明が解決しようとする課題】
【０００４】
したがって、本発明の目的は、最初に述べた筐体に、その筐体に対する構造的改変をできるだけ少なくすることによって、及び／又は上記で述べた欠点の少なくとも１つを回避することにより筐体の容易な製作又は組立てを可能にすることによって、改良された防水特性を提供することである。
【課題を解決するための手段】
【０００５】
これらの目的の少なくとも１つは、請求項１の構成を有する筐体を用いて達成される。本発明の有利な具体例は、従属項に規定される。
【０００６】
したがって、本発明は、押し込み部材が封止部の内側に設けられることを提案する。押し込み部材は、蓋プレートに隣接する封止部の側部（以後、「封止部のプレート接触側部」と称される）に対して横断方向に作用する押し付け力を、封止部の少なくとも２つの対向する側部に及ぼすように適合される。
【０００７】
本発明は、筐体の水密性に対する脆弱点が、形状体の蓋プレートの取り付け部が接触する封止部の部分であるという観察から生じている。上記で説明した方法で押し込み部材を配置することにより、予想外に優れた水密性の改良がもたらされ、この特定の問題領域の内因的欠陥に対する驚くほど効果的な改善となることがわかっている。このようにして、筐体全体の全般的な防水特性が、大幅に改良され得る。例として、電気エンクロージャとして使用される形状体に対して６５以上のＩＰ値を得ることができる。
【０００８】
本発明は、添付の図を参照して好ましい例示的な実施例の以下の説明においてより詳細に説明される。
【図面の簡単な説明】
【０００９】
【図１】本発明による電気エンクロージャの斜視図。
【図２】図１に示す電気エンクロージャの外形の端面の前面図。
【図３】図１に示す電気エンクロージャの分解図。
【図４】図３に示す電気エンクロージャの端部閉鎖部の、異なる視点からの別の分解図。
【図５】端部閉鎖部の部分が端面上に装着される、図２に示す形状体の端面の前面図。
【図６】図５に示す外形のＶＩ−ＶＩによる長手方向の断面の詳細図。
【図７】キャッピング部材が形状体に装着された、図５に示す端部閉鎖部の部分を備えた形状体の端面の横断面図。
【図８】図７に示す外形のＶＩＩＩ−ＶＩＩＩによる長手方向の断面の詳細図。
【実施例】
【００１０】
図１は、蓋プレート（被いプレート）３が水密的に取り付けられた開放側部分を有する中空形状体２を有する筐体（電気エンクロージャ）１を示す。形状体２は、金属材料から押し出し加工により形成され、被いプレート３は、合成材料から出来ている。以下で説明する水密封止機構は、特にこれらの材料を含む筐体１に適合される。しかし、他の材料も考えられることが理解される。形状体２の両端には、端部閉鎖部４、５が、水密式に装着される。端部閉鎖部４は中央開口部６を備え、中央開口部６は、形状体の空洞内で保護されるべき光電子工学デバイスの突起した構成要素又はケーブルに合わせて設計されている。この場合、中央開口部６は、光バリアの発光端部分又はケーブルのハウジング用として設けられ、デバイスのより繊細な光電子工学構成要素が、形状体２の空洞の内側に配置される。端部閉鎖部５は、中央開口部６が存在しないことを除き、端部閉鎖部４に類似するものである。
【００１１】
図２は端部閉鎖部４の無い形状体２の端面１０の前面を表している。図２からよくわかるように、形状体２は、床面部７及び２つの対向する側面部８、９を備える実質的にＵ字形状の構造を有する。側面部８、９の各々には、それらの中心部分にほぼ矩形の湾入部（くぼみ）１１、１２が設けられる。湾入部の長さは、側面部８、９の全長の約３分の１に相当する。
【００１２】
各側面部８、９の上側３分の１の中間部分には、キャリヤ突起部１３、１４が設けられる。キャリヤ突起部１３、１４の上面は、蓋プレート３の支持体として使用される。このようにして、蓋プレート３は、形状体２の側面部８、９の上部内縁の間に配置される。蓋プレート３の２つの外側長手方向側部１５、１６は、両面接着テープ１７、１８によってキャリヤ突起部１３、１４に取り付けられる。他の種類の取り付け具、たとえばシリコーン、糊、なども考えられる。
【００１３】
したがって、形状体２の空洞２０の両側、より正確には湾入部１１、１２の各々とキャリヤ突起部１３、１４との間には、上部側部区域（上部側部コンパートメント）２１、２２が、空洞２０内に形成される。さらに、２つの下部側部区域（下部側部コンパートメント）２３、２４が、空洞２０内のそれぞれの湾入部１１、１２の下方に形成される。
【００１４】
湾入部１１、１２およびキャリヤ突起部１３、１４の下側部分の各々には、円形溝２５〜２８が設けられ、これらの円形溝の各々は、側部区域２１〜２４の１つの内方に接し、形状体２の長手方向に延在している。これらの円形溝の端面は、端部閉鎖部４、５を固定するためのボアホール２５〜２８として使用される。さらに、長手方向に延びた矩形状の３つの内側溝が、側面部８、９の各々に設けられる。これらの溝は、たとえば空洞２０の内側の電子装置用固定レールとして働くことができる。
【００１５】
当技術分野で一般的に知られている取り付け具１７、１８を用いることにより、高度な防水保護が、形状体２の長さ方向に与えられる。しかし、一般的な筐体内の形状体の端面では、取り付け具１７、１８は、少なくとも筐体が、水跳ね、水噴射などの要求にさらされる場合、漏れやすい領域となり得る。電子筐体１では、これらの欠点が、後述に説明するように改善されている。
【００１６】
図３は、筐体１を分解図で表している。筐体１の端部閉鎖部４は、これらの別個の部片、すなわち押し込み部材４０、封止用ループ部材（封止用枠形状部材）４１、及びキャッピング部材（蓋部材）４２から構成される。異なる角度からの端部閉鎖部４の対応する分解図を図４に示している。
【００１７】
封止用ループ部材４１は、ほぼ非圧縮性である弾性材料、たとえば不透水性ゴム材料、たとえばＮＢＲ  ５０  Ｓｈａｒｅ  Ａなどからなり、形状体２の端面１０に似た外周を有する。特に、封止用ループ部材４１の正面側で突出する封止リップ４３は、端面１０の形状に合致している（図４を参照）。封止用ループ部材４１の後側で突出する対応する封止リップ４４は、ほぼ同じ形態を有している。
【００１８】
したがって、端面１０に封止用ループ部材４１を配置することに関して、封止用ループ部材４１は、端面１０の床面部７と接触する底側部４５、端面１０の側面部８、９と接触する２つの対向する側面部４６、４７、及び蓋プレート３に隣接する上側のプレート接触側部４８から構成される。
【００１９】
さらに、封止用ループ部材４１は、形状体２の端面１０におけるボアホール２５〜２８に対応する位置に配設された４つの円形の開口部４９〜５２をさらに有する。封止用ループ部材４１の両側では、円形開口部４９〜５２は、一連のそれぞれの封止リップ４３、４４内に途切れなく一体化される円形突出部によって取り囲まれている。
【００２０】
封止用ループ部材４１の前面において、プレート接触側部４８には、封止リップ４３、４４の高さを超える前面突起部５４が設けられる（図４を参照）。前面突起部５４のサイズは、形状体２の端面１０のキャリヤ突起部１３、１４間の距離と合致する。したがって、蓋プレート３にその底側部から接触するよう形状体２の空洞２０に挿入されるように適合される。
【００２１】
封止用ループ部材４１の内周は、押し込み部材４０の外周の形状に適合される。押し込み部材４０は、かなり剛性のものであり、好ましくは合成材料から構成される。これは、封止用ループ部材４１の形状に実質的に合致するフレーム状の構造を有し、この場合、上側部５５、２つの側面部５６、５７及び底側部５８は、より小さい長さ寸法をそれぞれ有する。押し込み部材４０の厚さは、封止用ループ部材４１の厚さに実質的に同じである。
【００２２】
押し込み部材４０の上側部５５には、上側突起部６０が設けられる。上側突起部６０の両側には、上側先細部分６１、６２が形成される。上側先細部分６１、６２は、ほぼ円形状の断面を有する。上側側部５５の両方の横端部には、２つのさらなる下側先細部分６３、６４が形成され、湾曲形状の断面を有している（図５を参照）。
【００２３】
押し込み部材４０の対向する側面部５６、５７の上側部には、外側の横方向突出部６５、６６が設けられる。横方向突出部６５、６６の下縁は、側面部５６、５７から直角に突起している。上縁は、封止リング４１のプレート接触側部４８に対して線形傾斜を有している。したがって、横方向突出部の各々は、横方向先細部分６５、６６となる。
【００２４】
全体として、上側先細部６１、６２、下側先細部６３、６４及び横方向先細部６５、６６が、押し込み部材４０の両側に階段様の配置で形作られ、この場合、それぞれの先細部分６１〜６６の間の横方向距離は、押し込み部材４０の上部に向かって低減している。したがって、押し込み部材４０の上側部は、押し込み部材４０の対向する側部に配置された先細部６１〜６６の間の橋渡し部分５５となる。
【００２５】
封止用ループ部材４１には、押し込み部材４０上の先細部分６１〜６６の形状に適合された対応する凹部７１〜７６が設けられる。したがって、凹部７１〜７６は、押し込み部材４０上のそれぞれの先細部分６１〜６６に実質的に対応する形態を有する。凹部７１、７２は、それぞれの先細部分６１、６２に対応する線形勾配を有する。
【００２６】
押し込み部材４０は、横方向突起部６５、６６の各々の前面側に差し込み突起部６７、６８をさらに備える。差し込み突起部６７、６８は、形状体２の空洞２０の上部側部区域２１、２２内に挿入されるように形成される。これにより、押し込み部材４０を形状体２の端面１０に正しく配置し、最初に緩く固定することが可能になる。差し込み突起部６７、６８は、押し込み部材４０が挿入され、キャッピング部材４２がねじによって固定されたとき、押し込み部材４０の端面１０の垂直方向の特定の可動性を確実にするために側部区域２１、２２の高さに比べて小さくなっている。
【００２７】
押し込み部材４０の上側突起部６０は、押し込み部材４０の前面方向に突出するほぼ平坦な上面５９を有する。上側突起部５５の側部の長さは、形状体２のキャリヤ突起部１３、１４の間の距離に相当しており、空洞２０内への挿入を可能にする。このようにして、封止用ループ部材上の前面突起部５４のための支持体が形成される。上側突起部５５の前縁には、上面５９の他の部分の高さに比べて上昇した部分がさらに設けられる。この上昇部分は、押し込み部材４０が封止リング４１の内側に配置されたときに封止リング４１のための前面の当接構造として働く。
【００２８】
また、橋渡し部分５５の下面７０も突起しており、形状体２の長手方向軸線に対して実質的に線形の勾配を有している（図６を参照）。下面は、押し込み部材４０に垂直力を印加することを可能にする。したがって、これ以後、印加表面７０と称する。
【００２９】
これに対応する線形勾配が、キャッピング部材４２の内側の突起する上面８０に形成される（図４を参照）。また、突起表面８０の長さ及び幅は、押し込み部材４０の橋渡し部分５５の印加表面７０に実質的に相当するものである。突起表面８０は、印加表面７０上の力を、封止機構を駆動させるために伝送するように働く。したがって、これ以後、駆動表面８０と称する。
【００３０】
キャッピング部材４２の底側部８２、側面部８３、８４、及び上側部８５上の内側壁は、封止用ループ部材４１の横方向の周囲の形状に対応する。このようにして、内側に配設された押し込み部材４０を備えた封止用ループ部材４１を、キャッピング部材４２内に嵌め込むことができ、封止用ループ部材４１の内周に作用する押し付け力は、キャッピング部材４２の内側壁によって打ち消される。キャッピング部材４２の上側部８５の中間部分には、蓋プレート３の幅に実質的相当する上側の前面突起部９５が設けられる。上側の前面突起部９５は、形状体２の端面１０上への取り付け中、キャッピング部材４２を簡単に手動で配置することを可能にでき、封止効果に寄与することもできる。さらに、４つのボアホール８６〜８９が、封止用ループ部材４１の円形開口部４９〜５２のように、対応する位置においてキャッピング部材４２内に設けられる。
【００３１】
続いて、形状体２上での端部閉鎖部４の取り付け及び作業工程の始まりを論じる。
最初、封止用ループ部材４１は、取り付け部１５、１６が、プレート接触側部４８によって完全に覆われ、前面突起部５４が空洞２０内に及んで、蓋プレート３に対して下方から当接するように、形状体２の端面１０周りに配置されることが好ましい。
【００３２】
第２のステップでは、押し込み部材４０が、封止用ループ部材４１の内周に沿って配置され、それにより、差し込み突起部６７、６８が、空洞２０の側部区域２１、２２の内側に及んで、平坦な突起する上面５９が、封止用ループ部材４１の前面突起部５４を支持するようになる。
【００３３】
この形状は、図５に表されている。この図で分かり得るように、押し込み部材４０の先細部分６１〜６６は、封止用ループ部材４１のプレート接触側部４８に面し、封止用ループ部材４１内の対応する凹部７１〜７６と接する。橋渡し部分５５は、封止用ループ部材４１のプレート接触側部４８に対して直接当接する。押し込み部材４０は、図６で最もよくわかるように、突起する上面５９の前面端部上の上側の上昇部が、封止用ループ部材４１のプレート接触側部４８の前縁に対して当接するように空洞２０内に挿入される。
【００３４】
次のステップとして、図６に示すように、キャッピング部材４２は、その内側壁８２〜８５が封止用ループ部材４１の外周と界接する状態で端面１０の周りに差し込まれる。したがって、キャッピング部材４２内の傾けられた駆動表面８０が、押し込み部材４０の橋渡し部分５５の傾けられた印加表面７０の下方に配置される。同時に、キャッピング部材４２の上側の前面突起部９５が、蓋プレート３の上部の、形状体２の側面部８、９の上側の内縁の間に配置される。このようにして、上側の前面突起部９５を形状体２の長手方向に進めるための誘導通路が、側面部８、９の上側の内縁の間に設けられ、キャッピング部材４２の正しい位置決め及びさらなる取り付け手順が容易になる。
【００３５】
最後に、キャッピング部材４２は、ボアホール２５〜２８及び８６〜８９のそれぞれにねじ連結を確立することによって形状体２上に堅固に固定される。このねじ込み操作の効果を、図７及び図８に示している。
【００３６】
図８に表すように、キャッピング部材４２は、矢印９０によって示すように形状体２に向かってさらに進められる。したがって、上側の前面突起部９５も、形状体２の側面部８、９の上側の内縁の間でさらに進められる。キャッピング部材４２が進むことで、封止リップ４３が、形状体２の端面１０に対して堅固に押し付けられ、封止リップ４４が、キャッピング部材４２の内側に対して堅固に押し付けられるという効果を及ぼす。
【００３７】
さらに、キャッピング部材４２の駆動表面８０は、押し込み部材４０の印加表面７０に沿ってさらに進行する。その結果、駆動力９０が、傾けられた印加表面７０に伝達され、垂直力成分が、矢印９１によって示すように、押し込み部材４０の橋渡し部分５５に及ぼされる。これが、押し込み部材４０が封止用ループ部材４１の位置に対して垂直方向にわずかに変位することにつながる。したがって、押し付け力９１は、橋渡し部分５５の上側の平坦表面５９から封止用ループ部材４１のプレート接触側部４８に伝達され、さらにプレート接触側部４８は、前面突起部５４に沿って、蓋プレート３の下面に対して堅固に押し付けられる。さらに、押し込み部材４０の突起する上面５９の前面端部上の上側の上昇部分は、このとき、蓋プレート３に対して下方から当接しており、それにより、封止リング４１のプレート接触側部４８の前縁が、押し込み部材４０及び蓋プレート３によって全体的に包み込まれる。
【００３８】
図７に示すように、垂直方向９１の駆動力及び押し込み部材４０の対応する変位によって、さらに、押し込み部材４０の先細部分６１〜６６が、封止用ループ部材４１の対応する凹部７１〜７６内の勾配に対して堅固に押し付けられるという効果が生じる。このようにして、押し込み部材４０に作用する垂直力９１は、先細部分６１〜６６において、封止用ループ部材４１のプレート接触側部４８の位置に対して横断方向に作用する力として、矢印９２、９３によって示すように封止用ループ部材４１に向かって伝達される。
【００３９】
封止用ループ部材４１の２つの対向する側部４６、４７に向かって作用するこれらの横断力９２、９３によって、電気エンクロージャ１の水密性に対する大幅な向上がもたらされる。特に顕著な封止の向上が、蓋プレート３の取り付け部１５、１６に近接近して存在する上側先細部分６１、６２による力の印加によって達成される。取り付け部１５、１６からより離れた追加の先細部６３〜６６も、封止効果に対して大幅に寄与する。
【００４０】
上記で説明した筐体の数多くの変更形態が、当業者に提案される。しかし、本発明の開示は、本発明の好ましい実施例に関連するものであり、この実施例は、説明の目的のために過ぎず、本発明を限定するものとして解釈されるものではないことを理解されたい。
【００４１】
特に、本発明の好ましい実施例は、従属請求項によって規定された、たとえば以下の態様を含む。
【００４２】
押し付け力の横断方向は、封止部のプレート接触側部に向かって方向付けられたベクトル成分と、直交方向のベクトル成分とを含むことが好ましい。有利には、押し込み部材には、封止部の対向する側部の各々のところにある先細部分が設けられてよい。これらの先細部分の各々は、封止部のプレート接触側部に面することができる。そのために、押し込み部材の力伝達部分上の傾けられた又は湾曲した表面が、封止部のプレート接触側部に対して横断方向に押し付け力を方向付けるために設けられてよい。この先細部分は、実質的に円形の湾曲形態を有することが好ましい。或いは、相補的に、実質的に線形の勾配又は他の湾曲した形状などの横断力の伝達のための他の形状も考えられる。
【００４３】
先細部分は、形状体上の蓋プレートの取り付け部の直近に配設されることが好ましい。このようにして、押し込み部材の衝撃ゾーンを、封止部の脆弱点近くに位置付けることができる。先細部分の少なくとも２つと取り付け部の距離は、形状体の断面寸法の５分の１未満が好ましく、より好ましくは１０分の１未満である。先細部分の少なくとも２つの距離は、蓋プレートに隣接して位置する形状体端面の部分のそれぞれの壁厚と比べて、より小さいものであることが好ましい。
【００４４】
本出願の範囲内の封止部の対向する側部は、押し込み部材に、対向する方向成分で面する封止部の任意の２つの側部として定義される。一般には、これらは、封止部のプレート接触側部に対する相対距離に対するものと解釈されるものではない。たとえば、封止部の下側領域にある側部に対向する上側領域にある側部も考えられる。好ましい実施例によれば、対向する側部と封止部のプレート接触側部との相対距離は、本質的に等しいものである。
【００４５】
押し込み部材には、危険領域における水密性をさらに向上させるために、封止部の対向する側部の各々のところに少なくとも２つの先細部分が設けられることが好ましい。封止部の各側における少なくとも２つの先細部分の階段状の配置が設けられることがより好ましい。３つの先細部分が、封止部の各側部に設けられることがより好ましい。押し込み部材には、先細部分の少なくとも１つを備える少なくとも１つの上側突起部が設けられることが好ましい。上側突起部は、押し込み部材の上側の中心部分から突出することがより好ましい。さらに、押し込み部材には、先細部材の少なくとも１つを備える少なくとも１つの横方向突出部が設けられてよい。
【００４６】
封止部には、押し付け力の伝達をさらに向上させるために押し込み部材上の先細部分の形状に適合させた対応する凹部構造が設けられることが好ましい。別の実施例によれば、この場合では封止部の内周における対応する突出部が係合される、押し込み部材内に形成された凹部構造を用いることによって、押し付け力を伝達することも考えられる。
【００４７】
先細部分は、後で押し付け力として封止部に伝送され得る力を押し込み部材上に印加するための印加表面を含む橋渡し部分を介して相互連結されることが好ましい。有利には、印加表面は、封止部のプレート接触側部から外方に面してよい。このようにして、封止部のプレート接触側部に向かって方向付けられた押し込み部材上の線形力の印加を利用して、封止部の少なくとも２つの対向する側部上に、封止部のプレート接触側部に対して横断方向の押し付け力を及ぼすことができる。
【００４８】
封止部のプレート接触側部に沿った水密性をさらに向上させるために、橋渡し部分は、押し付け力を封止部のプレート接触側部に直接及ぼすように適合されてよい。したがって、橋渡し部分は、この押し付け力の伝達のために加表面に対して対向する側に衝撃表面を備えることができる。好ましくは、この衝撃表面は、封止部のプレート接触側部の実質的に全長にわたって力を伝達するように適合されてよい。実質的には全ての力が、封止部のプレート接触側部の方向に伝達されることが好ましい。
【００４９】
特に封止部のプレート接触側部に対して横断方向の押し付け力を、封止部に有利に伝達することを可能にするために、押し込み部材は、力が印加表面上に印加されたときに、封止部のプレート接触側部に向かって少なくともわずかに変位するように配設されることが好ましい。
【００５０】
端部閉鎖部は、キャッピング部材をさらに備えることが好ましい。キャッピング部材には、押し込み部材上の印加表面に力を伝達するための駆動表面が設けられることが好ましい。駆動表面は、封止部のプレート接触側部に面するように設けられることがより好ましい。有利には、駆動表面は、キャッピング部材上の突起部上に設けられ得る。突起部は、キャッピング部材の内部空間の内側に配置され得る。
【００５１】
形状体の空洞に向かう勾配が、駆動表面と印加表面との間に設けられることが好ましい。この勾配は、印加表面上の力の印加を容易にするために使用され得る。好ましくは、勾配は、印加表面及び／又は駆動表面上に設けられてよい。たとえば、キャッピング部材の印加表面には、形状体の空洞に向かう勾配が設けられてよい。それに対応して、押し込み部材の印加表面は、たとえば形状体の長さ方向に対して実質的に平面でよく、或いは勾配を含んでもよい。勾配は、両方の表面上に設けられることがより好ましく、その表面の互いに対する円滑且つ連続的な誘導を可能にする。このようにして、キャッピング部材の駆動表面を、押し込み部材の印加表面に対してその勾配に沿って進めることによって駆動力を押し込み部材上に有利に印加することができ、その結果、封止用ループ部材のプレート接触側部に向かって力が印加される。勾配は実質的に一定の傾斜であることが好ましい。
【００５２】
キャッピング部材には、封止部に及ぼされる押し付け力がキャッピング部材によって打ち消されるように封止部を取り囲む外壁が設けられることが好ましい。この目的のため、封止部は、キャッピング部材の内側にその外周の形状にしたがって適合される。封止部の、少なくとも押し付け力が及ぼされる部分は、キャッピング部材の外壁と密に接触する状態にあることがより好ましい。
【００５３】
水密封止部は、封止用ループ部材によって構成されることが好ましい。封止部は、同質の封止特性を達成するために形状体の端面の周りに連続的に配設されることがより好ましい。
【００５４】
封止部のプレート接触側部における水密性に対するさらなる改良は、封止部が、少なくともそのプレート接触側部の一部分上で、形状体の空洞内に延びるということにより達成され得る。好ましくは、押し込み部材もこの特定の領域で空洞内に延び、空洞内に延びている封止部の部分において、ここでも押し付け力を有利に伝達することを可能にできる。追加的に又は代替的に、形状体を、形状体の端面を超えて延びる水密に取り付けられた蓋プレートと共に使用することができる。この場合、優れた水密性は、空洞内に及ぶことなく形状体の端面に、特に蓋プレートに対する境界ゾーンに装着された封止部及び／又は押し込み部材によって達成され得る。
【００５５】
別の好ましい実施例によれば、封止部及び押し込み部材は、形状体の端部にある空洞の内側に完全に又は少なくとも部分的に配設され得る。この場合、形状体の内側の側壁は、押し込み部材から伝達された押し付け力を打ち消すために使用されてよい。
【００５６】
形状体の空洞内に延びる少なくとも１つの差し込み突起部が、押し込み部材上に設けられることが好ましい。このため、端部閉鎖部の取り付け中、封止部に対する押し込み部材の正しい位置決めが可能になり得る。好ましくは、押し込み部材の横方向突出部には、差し込み突起が設けられる。形状体は、差し込み突起部の挿入のための別個の区域（コンパートメント）空間を含むことができる。区域空間のサイズは、好ましくは差し込み突起部のサイズを超えるものであり、それにより、封止部のプレート接触側部に向かう押し込み部材の変位が、端部閉鎖部の取り付け中に可能にされる。有利には、押し込み部材の橋渡し部分もまた、押し込み部材の内側の固定をさらに容易にするために形状体の空洞内へと延びることができる。
【００５７】
押し込み部材は、実質的にフレーム（枠）状の構造を有することが好ましい。封止部の内周の形態は、押し込み部材の外周に適合されることが好ましい。より好ましくは、押し込み部材は、押し込み部材の最適な位置決めを可能にするために、封止部の全内周の周りを延びることができる。別の実施例によれば、押し込み部材は、封止部の内周の一部だけを覆って延び、それでもなお、封止部の２つの対向する側部において押し付け力を良好に伝達することを確実にすることができる。
【００５８】
説明した形状体の好ましい利用によれば、形状体は、電子及び／又は光学装置を含む。特に、形状体は、光バリア又は類似の光電子デバイスの防水管理に合わせて設計され得る。好ましくは、この形状体によって構成された電子筐体は、少なくとも６５のＩＰ値を有する。
【図１】
2012028781.tif 000003
【図２】
2012028781.tif 000004
【図３】
2012028781.tif 000005
【図４】
2012028781.tif 000006
【図５】
2012028781.tif 000007
【図６】
2012028781.tif 000008
【図７】
2012028781.tif 000009
【図８】
2012028781.tif 000010